(57)【要約】【課題】  非接触型のＩＣカードを用いて人を除電でき、かつ除電によるＩＣカードの不具合の発生を抑えることができる除電装置、認証システム、ＩＣカード、カードリーダを提供する。【解決手段】  除電装置１は、非接触式のＩＣカード１１と、カードリーダ１２とを備える。ＩＣカード１１は、集積回路１１１ａが設けられているカード本体１１１と、カード本体１１１の外面を覆っている絶縁部材１１２と、導電性を有して絶縁部材１１２の外面を覆っているカバー１１３とを具備する。絶縁部材１１２は、カード本体１１１とカバー１１３とを電気的に絶縁している。カードリーダ１２は、導電性を有して読出部１２２の少なくとも一部を覆っている導電部材１２４を具備する。【選択図】図２
2018088189.tif 000002
【特許請求の範囲】
【請求項１】
識別情報を記憶している非接触式のＩＣカードと、
前記ＩＣカードから前記識別情報を取得するカードリーダとを備え、
前記ＩＣカードは、集積回路が設けられているカード本体と、前記カード本体の外面を覆っている絶縁部材と、導電性を有して前記絶縁部材の外面を覆っているカバーとを具備して、前記絶縁部材は、前記カード本体と前記カバーとを電気的に絶縁しており、
前記カードリーダは、前記ＩＣカードから前記識別情報を読み出す読出部と、導電性を有して前記読出部の少なくとも一部を覆っている導電部材とを具備する
ことを特徴とする除電装置。
【請求項２】
前記カバーは、静電気拡散性材料で形成されていることを特徴とする請求項１記載の除電装置。
【請求項３】
前記導電部材は、静電気拡散性材料で形成されていることを特徴とする請求項１または２記載の除電装置。
【請求項４】
前記カードリーダに前記ＩＣカードをかざす人の帯電電位を計測する計測器具と、
前記帯電電位に基づいて除電の必要性について報知する報知器具とをさらに備える
ことを特徴とする請求項１乃至３のいずれか一項に記載の除電装置。
【請求項５】
前記カードリーダは、出入口を開閉するドアの周囲に配置されることを特徴とする請求項１乃至４のいずれか一項に記載の除電装置。
【請求項６】
請求項１乃至３のいずれか一項に記載の除電装置と、
前記カードリーダが取得した前記識別情報を用いて認証処理を行う認証装置と、
出入口を開閉するドアに設けられて施錠状態、解錠状態を切り替えるロック装置とを備え、
前記カードリーダは、前記ドアの周囲に配置され、
前記除電装置は、前記カードリーダに前記ＩＣカードをかざす人の帯電電位を計測する計測器具と、前記帯電電位に基づいて除電の必要性について報知する報知器具とをさらに備え、
前記認証処理において認証が成功し、かつ前記帯電電位が閾値未満であれば、前記ロック装置は前記解錠状態になり、
前記認証処理において認証が失敗した場合、または前記帯電電位が前記閾値以上である場合、前記ロック装置は前記施錠状態になる
ことを特徴とする認証システム。
【請求項７】
識別情報を記憶している非接触式のＩＣカードであって、
集積回路が設けられているカード本体と、前記カード本体の外面を覆っている絶縁部材と、導電性を有して前記絶縁部材の外面を覆っているカバーとを一体に備えて、
前記絶縁部材は、前記カード本体と前記カバーとを電気的に絶縁している
ことを特徴とするＩＣカード。
【請求項８】
ＩＣカードから識別情報を取得するカードリーダであって、
前記ＩＣカードから前記識別情報を読み出す読出部と、
導電性を有して前記読出部の少なくとも一部を覆っている導電部材とを備える
ことを特徴とするカードリーダ。
【発明の詳細な説明】
【技術分野】
【０００１】
本発明は、一般に、除電装置、認証システム、ＩＣカード、カードリーダに関する。
【背景技術】
【０００２】
従来、特許文献１に開示されているように、カードキーを用いて除電する構成が開示されている。特許文献１では、カーボンを混入したプラスチックで構成されたカードキー、及びアルミ箔を片面に貼った紙により構成されたカードキーが開示されている。そして、このカードキーを錠の箱に差し込むと、錠の箱の接地線を通して、人間に蓄積された静電気が、カードキー、錠の箱、接地線の経路を通って放電される。
【先行技術文献】
【特許文献】
【０００３】
【特許文献１】実開昭５９−１５９９００号公報
【発明の概要】
【発明が解決しようとする課題】
【０００４】
近年、非接触型のＩＣカード（Integrated Circuit Card）が普及している。しかしながら、ＩＣカードには集積回路が設けられており、ＩＣカードを用いて除電をした場合に、集積回路が破壊される可能性があった。
【０００５】
本発明の目的とするところは、非接触型のＩＣカードを用いて人を除電でき、かつ除電によるＩＣカードの不具合の発生を抑えることができる除電装置、認証システム、ＩＣカード、カードリーダを提供することにある。
【課題を解決するための手段】
【０００６】
本発明の一態様に係る除電装置は、識別情報を記憶している非接触式のＩＣカードと、前記ＩＣカードから前記識別情報を取得するカードリーダとを備える。前記ＩＣカードは、集積回路が設けられているカード本体と、前記カード本体の外面を覆っている絶縁部材と、導電性を有して前記絶縁部材の外面を覆っているカバーとを具備している。前記絶縁部材は、前記カード本体と前記カバーとを電気的に絶縁している。前記カードリーダは、前記ＩＣカードから前記識別情報を読み出す読出部と、導電性を有して前記読出部の少なくとも一部を覆っている導電部材とを具備する。
【０００７】
本発明の一態様に係る認証システムは、上述の除電装置と、前記カードリーダが取得した前記識別情報を用いて認証処理を行う認証装置と、出入口を開閉するドアに設けられて施錠状態、解錠状態を切り替えるロック装置とを備える。前記カードリーダは、前記ドアの周囲に配置されている。前記除電装置は、前記カードリーダに前記ＩＣカードをかざす人の帯電電位を計測する計測器具と、前記帯電電位に基づいて除電の必要性について報知する報知器具とをさらに備える。前記認証処理において認証が成功し、かつ前記帯電電位が閾値未満であれば、前記ロック装置は前記解錠状態になる。前記認証処理において認証が失敗した場合、または前記帯電電位が前記閾値以上である場合、前記ロック装置は前記施錠状態になる。
【０００８】
本発明の一態様に係るＩＣカードは、識別情報を記憶している非接触式のＩＣカードである。前記ＩＣカードは、集積回路が設けられているカード本体と、前記カード本体の外面を覆っている絶縁部材と、導電性を有して前記絶縁部材の外面を覆っているカバーとを一体に備えている。前記絶縁部材は、前記カード本体と前記カバーとを電気的に絶縁している。
【０００９】
本発明の一態様に係るカードリーダは、ＩＣカードから識別情報を取得するカードリーダである。前記カードリーダは、前記ＩＣカードから前記識別情報を読み出す読出部と、導電性を有して前記読出部の少なくとも一部を覆っている導電部材とを備える。
【発明の効果】
【００１０】
本発明では、非接触型のＩＣカードを用いて人を除電でき、かつ除電によるＩＣカードの不具合の発生を抑えることができるという効果がある。
【図面の簡単な説明】
【００１１】
【図１】図１は、本発明の実施形態１に係る除電装置を備える認証システムを示す構成図である。
【図２】図２は、同上の除電装置が備えるＩＣカード及びカードリーダを示す一部破断した斜視図である。
【図３】図３は、本発明の実施形態２に係る除電装置を備える認証システムを示す構成図である。
【図４】図４は、本発明の実施形態２に係る計測器具の概略を示す構成図である。
【図５】図５は、同上の認証システム及び除電装置の動作を示すフローチャートである。
【図６】図６Ａは、同上の除電装置の円柱形状の導電部材を示す平面図である。図６Ｂは、同上の除電装置の枠体形状の導電部材を示す平面図である。
【発明を実施するための形態】
【００１２】
以下の各実施形態は、一般に、除電装置、認証システム、ＩＣカード、カードリーダに関する。より詳細には、非接触式のＩＣカードを備える除電装置、非接触式のＩＣカード、非接触式のＩＣカードを用いるカードリーダに関する。
【００１３】
以下に説明する各実施形態の除電装置及び認証システムは、建物の出入口に設置される。この出入口にはドアが設けられており、ドアが開閉されることで、出入口を開状態または閉状態とすることができる。人は、手でドアに触れて、ドアを押す、またはドアを引く、またはドアをスライドさせることで出入口を開状態として、出入口を通過する。このドアは、屋外と屋内との間に設けられる構成、屋内の２つの空間の間に設けられる構成のいずれでもよい。屋外と屋内との間に設けられるドアには、事務所、店舗などの来客用のドア、住宅の玄関ドアなどがある。屋内の２つの空間の間に設けられるドアには、廊下と部屋との間に設けられるドア、２つの部屋の間に設けられるドアなどがある。
【００１４】
一般に、人は、身に付けている衣類などの摩擦により、「正」もしくは「負」の電荷が蓄積される。つまり、人は、静電気を帯びて帯電することがある。特に、冬季のような乾燥している環境下で人は帯電しやすくなる。また、帯電のし易さには、体質、生活環境などによって個人毎に差がある。
【００１５】
そして、静電気を帯びて帯電した人が、出入口を通過するためにドアのノブなどの導体（金属）に触れると、人とドアとの間で静電気が放電されて、人が電気的な衝撃を受ける電撃が発生する。具体的には、帯電した人が導体に触れようとすると、人と導体との間の距離が短くなるにつれて、人と導体との間の電界が強まり、人と導体との間でコロナ放電しやすい状況になる。そして、人と導体との間の電界の強さが空気の絶縁耐力を超えると、人と導体との間で静電気が放電されて電撃が発生する。
【００１６】
電撃の強さの目安としては、人体の帯電電位が１．０ｋＶ以下であれば、ドアに手を触れた人は電撃を全く感じない。帯電電位が１．０ｋＶを超え、２．５ｋＶ以下程度であれば、ドアに手を触れた人は指が少し（ちくりと）痛む程度の電撃を受けることが多い。帯電電位が２．５ｋＶを超え、５．０ｋＶ以下程度であれば、ドアに手を触れた人は掌から前腕までが痛む程度の電撃を受けることが多い。帯電電位が５．０ｋＶを超え、１０．０ｋＶにも到達するほどの電位であれば、もはや、ドアに手を触れた人は腕全体を強打された程度の電撃を受け、不快なことこの上ない。
【００１７】
（実施形態１）
図１は、実施形態１の認証システム１０の構成を示しており、認証システム１０は除電装置１を備えている。認証システム１０は、除電装置１に加えて、認証装置４、ロック装置５をさらに備える。
【００１８】
除電装置１は、建物２の出入口２１に設けられる。出入口２１は、空間Ｒ１と空間Ｒ２との間に設けられており、人Ｈは、空間Ｒ１から空間Ｒ２への移動時、及び空間Ｒ２から空間Ｒ１への移動時に、出入口２１を通る。出入口２１にはドア３が取り付けられており、ドア３の空間Ｒ１側にはノブ３１が設けられており、ドア３の空間Ｒ２側にはノブ３２が設けられている。本実施形態において、ドア３のノブ３１，３２は金属製である。また、ドア３のドア本体が金属製であってもよい。そして、ドア３が開閉されることで、出入口２１を開状態または閉状態とすることができる。通常、ドア３は閉じており、人Ｈは、ドア３のノブ３１に触れてドア３を開いて、出入口２１を通過する。空間Ｒ１において、ドア３の上方には天井パネル２２が構造体として設けられ、ドア３の側方には壁パネル２３が構造体として設けられ、ドア３の下方には床パネル２４が構造体として設けられている。なお、構造体には、空間Ｒ１を構成している建材、空間Ｒ１内の備品などが含まれる。
【００１９】
除電装置１は、非接触式のＩＣカード１１（以降、ＩＣカード１１と称す）、カードリーダ１２を、主構成として備える。本実施形態では、空間Ｒ１において、ドア３の近くにカードリーダ１２を設けており、以下、人Ｈが出入口２１を通って空間Ｒ１から空間Ｒ２へ移動する場合について説明する。なお、カードリーダ１２は、ドア３の周囲に配置されることが好ましい。
【００２０】
認証装置４は、入退室管理の機能を有している。カードリーダ１２は、認証装置４との間で信号の送信及び受信を行うことができるように構成されている。ロック装置５は、ドア３に設けられている。ロック装置５は、施錠状態、解錠状態を切り替えることができる。ロック装置５が施錠状態である場合、ドア３を開けることはできず、出入口２１は閉状態を維持する。ロック装置５が解錠状態である場合、人Ｈはドア３のノブ３１に触れてドア３を開けて、出入口２１を通過することができる。
【００２１】
カードリーダ１２と認証装置４との間、及び認証装置４とロック装置５との間の各信号経路は、専用線などの有線、または無線ＰＡＮ（Personal Area Network）、または無線ＬＡＮ（Local Area Network）などによって実現される。
【００２２】
ＩＣカード１１は、例えば、ＩＳＯ／ＩＥＣ７８１０のＩＤ−１の規格に準拠している。ＩＣカード１１は、図２に示すように、カード本体１１１、絶縁部材１１２、導電性を有するカバー１１３（以降、カバー１１３と称す）を備える。ＩＣカード１１は、カード本体１１１、絶縁部材１１２、カバー１１３の一体成型品であることが好ましい。
【００２３】
また、ＩＣカード１１は、カードリーダ１２との通信距離を１０ｃｍ以下とした近接型（ISO/IEC14443準拠）である。
【００２４】
カード本体１１１は、ＰＶＣ（Poly Vinyl Chloride）、またはＰＥＴ−Ｇ（Poly Ethylene Terephthalate-G）を材料に用いて矩形板状に形成されている。カード本体１１１の一面には集積回路１１１ａ（ＩＣチップ）、アンテナ１１１ｂが設けられており、集積回路１１１ａはメモリを備えている。集積回路１１１ａのメモリには、識別情報が格納されている。識別情報は、ＩＣカード１１を携行している人Ｈに付与された識別情報、またはＩＣカード１１に付与された識別情報である。また、カード本体１１１の外面は、集積回路１１１ａ及びアンテナ１１１ｂの保護のために、樹脂膜で覆われている。なお、図２のアンテナ１１１ｂはコイル状に形成されているが、アンテナ１１１ｂの形状は特定の形状に限定されない。
【００２５】
そして、アンテナ１１１ｂは、カードリーダ１２からの電波を利用した電磁誘導によって集積回路１１１ａに電力を供給することができる。つまり、カードリーダ１２が送信した電波によって磁界が発生し、この磁界中にＩＣカード１１をかざすとアンテナ１１１ｂから集積回路１１１ａに電力が供給される。集積回路１１１ａは、この電力によって動作し、カードリーダ１２と通信することができる。
【００２６】
絶縁部材１１２は、カード本体１１１の全ての外面をほぼ均一な厚みで覆っている。絶縁部材１１２は、１．０×１０１１Ω以上の表面抵抗値を有する静電気絶縁性材料（IEC61340-5-1，5-2参照）で形成されており、例えばウレタン樹脂（urethane resin）、またはエポキシ樹脂（epoxy resin）で形成されている。
【００２７】
カバー１１３は、絶縁部材１１２の全ての外面をほぼ均一な厚みで覆っている。すなわち、ＩＣカード１１の外面はカバー１１３であり、カバー１１３の内部に絶縁部材１１２で覆われたカード本体１１１が収納されている。カバー１１３は、静電気拡散性材料で形成されていることが好ましい。静電気拡散性材料は、１．０×１０５Ω以上、かつ１．０×１０１１Ω未満の表面抵抗値を有する（IEC61340-5-1，5-2参照）。ここでは、静電気拡散性材料の表面抵抗値は、１．０×１０５Ω以上、かつ１．０×１０９Ω未満の範囲内であることがさらに好ましい。静電気拡散性材料には、金属粉末または導電性フィラーを含有した樹脂が用いられることが好ましい。導電性フィラーとしては、例えばグラファイト（graphite）が用いられる。カバー１１３は、絶縁部材１１２によってカード本体１１１との間で電気的に絶縁されている。
【００２８】
カードリーダ１２は、図２に示すように、筐体１２１、読出部１２２、信号処理部１２３を備えている。筐体１２１は、樹脂成形などによって箱型に形成されており、読出部１２２及び信号処理部１２３は、筐体１２１の内部に収納されている。読出部１２２は、電波を送信するアンテナ１２２ａを備えており、アンテナ１２２ａは、筐体１２１の前面１２１ａに対向して、前面１２１ａの近傍に配置されている。すなわち、アンテナ１２２ａは、筐体１２１の前面１２１ａから電波を発し、筐体１２１の前面１２１ａから電波を受けるように構成されている。
【００２９】
さらに、筐体１２１の前面１２１ａには、導電性を有するシート状の導電部材１２４が貼付されている。導電部材１２４は、静電気拡散性材料で形成されていることが好ましい。静電気拡散性材料には、金属粉末または導電性フィラーを含有した樹脂が用いられることが好ましい。導電性フィラーとしては、例えばグラファイトが用いられる。導電部材１２４は、アース線１２５（図１参照）が予め接続されている。アース線１２５は、天井パネル２２、壁パネル２３などに予め敷設されて接地されている。例えば、アース線１２５は、天井パネル２２、壁パネル２３などに沿って引き回されており、大地（地中）に埋め込んだ金属棒１２６に電気的に接続している。なお、アース線１２５は、大地の電位と同等であるとみなすことができる金属などの導体に電気的に接続していてもよい。また、アース線１２５は、天井パネル２２、壁パネル２３などの内部で引き回されていてもよい。さらに、アース線１２５は、床パネル２４に沿って、あるいは床パネル２４の内部で引き回されてもよい。
【００３０】
そして、読出部１２２は、アンテナ１２２ａから電波を発する。ＩＣカード１１では、アンテナ１１１ｂがアンテナ１２２ａから発せられた電波を受信すると、アンテナ１１１ｂから集積回路１１１ａに電力が供給される。集積回路１１１ａは、この電力によって動作して、カードリーダ１２との通信を開始する。そして、集積回路１１１ａは、メモリに格納されている識別情報を含む電波信号をアンテナ１１１ｂから送信する。
【００３１】
読出部１２２は、アンテナ１２２ａがＩＣカード１１から送信された電波信号を受信すると、電気信号として信号処理部１２３へ出力する。信号処理部１２３は、電気信号から識別情報を復調することで、ＩＣカード１１から識別情報を取得し、識別情報を認証装置４へ出力する。
【００３２】
認証装置４は、登録済の１つ以上の識別情報を認証用データして予め記憶している。そして、認証装置４は、カードリーダ１２から受け取った識別情報が、認証用データの識別情報に一致すれば、認証成功と判定する。また、認証装置４は、カードリーダ１２から受け取った識別情報が、認証用データのいずれの識別情報にも一致しなければ、認証失敗と判定する。認証装置４は、認証成功であれば、開信号をロック装置５へ出力する。
【００３３】
ロック装置５は、モータまたはソレノイドなどの駆動装置と、駆動装置によってスライドまたは回転させられるロックピンとを備える。そして、ロック装置５は、駆動装置によってロックピンをスライドまたは回転させることで、施錠状態、解錠状態を切り替えることができる。通常、ロック装置５は施錠状態であり、ドア３を開けることはできず、出入口２１は閉状態を維持している。そして、ロック装置５は、認証装置４から開信号を受信すれば、施錠状態から解錠状態に切り替える。この結果、人Ｈはドア３のノブ３１に触れてドア３を開けて、出入口２１を通過することができる。また、ロック装置５は、ドア３が閉められてから一定時間が経過した後に、解錠状態から施錠状態に切り替わる。さらに、ロック装置５は、施錠状態から解錠状態に切り替わった後、一定時間が経過してもドア３が開けられない場合も、解錠状態から施錠状態に切り替わる。
【００３４】
すなわち、認証成功時に、ロック装置５が解錠状態になって、人Ｈはドア３を開けて出入口２１を通過することができる。一方、認証失敗時には、ロック装置５が施錠状態を維持しており、人Ｈはドア３を開けることができないので、出入口２１を通過することができない。
【００３５】
次に、除電装置１を用いた除電処理について説明する。
【００３６】
まず、人ＨはＩＣカード１１を携行している。人Ｈは、空間Ｒ１から空間Ｒ２に入る前に、ＩＣカード１１を用いた認証を受ける必要がある。そこで、人Ｈは、ドア３の前で、手に持ったＩＣカード１１をカードリーダ１２の前面１２１ａにかざす。このとき、人Ｈは、ＩＣカード１１を導電部材１２４に触れさせることで、ＩＣカード１１のカバー１１３を導電部材１２４に接触させる。カバー１１３が導電部材１２４に接触すると、人に帯電している静電気が、カバー１１３→導電部材１２４→アース線１２５→金属棒１２６を通って放電される。
【００３７】
したがって、除電装置１は、人Ｈが非接触型のＩＣカード１１をカードリーダ１２にかざす際に、ＩＣカード１１がカードリーダ１２に触れることで、人Ｈを除電できる。また、カード本体１１１の外面は樹脂膜で覆われているが、この樹脂膜のみでは除電時に印加される高電圧に対する絶縁が不十分であることが考えられる。そこで、ＩＣカード１１のカード本体１１１と導電性を有するカバー１１３とは絶縁部材１１２によって電気的にさらに絶縁されている。絶縁部材１１２の厚みは、カード本体１１１とカバー１１３との絶縁を除電時に確保するために必要な寸法以上としている。したがって、ＩＣカード１１は、カード本体１１１に設けられている集積回路１１１ａに対して、除電時に高電圧が印加されることを防止できるので、除電による集積回路１１１ａの不具合の発生を抑えることができる。
【００３８】
また、人ＨがＩＣカード１１をカードリーダ１２の前面１２１ａにかざすことで、カードリーダ１２がＩＣカード１１から識別情報を読み出し、認証装置４による認証処理が行われる。そして、認証装置４が認証成功と判定すれば、ロック装置５が解錠状態となり、人Ｈはドア３を開けて出入口２１を通過することができる。このとき、人Ｈは、既に除電されているので、人Ｈがドア３のノブ３１に触れたときに電撃の発生を抑制することができる。この結果、人Ｈは、電撃の不安を解消でき、かつ利便性が向上する。
【００３９】
また、カバー１１３及び導電部材１２４を、静電気拡散性材料で形成しているので、カバー１１３が導電部材１２４に接触したときに、カバー１１３と導電部材１２４との間に流れる電流のピーク値を抑制することができる。したがって、除電時に人Ｈが受ける衝撃を抑えることができる。
【００４０】
なお、カバー１１３及び導電部材１２４のうち、いずれか一方のみを静電気拡散性材料で形成し、他方を１．０×１０５Ω未満の表面抵抗値を有する高導電性の材料で形成してもよい。この場合は、除電に要する時間を短縮でき、かつ上記同様の効果を得ることができる。高導電性の材料としては、銅、アルミニウム、またはカーボンなどが用いられる。
【００４１】
また、カバー１１３及び導電部材１２４の両方を、１．０×１０５Ω未満の表面抵抗値を有する高導電性の材料で形成してもよい。この場合、除電に要する時間をさらに短縮できる。
【００４２】
なお、カードリーダ１２に、認証装置４の機能を組み込んでもよい。
【００４３】
（実施形態２）
実施形態２の認証システム１０Ａの構成を図３に示す。認証システム１０Ａは、除電装置１Ａを備える。除電装置１Ａは、実施形態１の除電装置１の構成に、計測器具１３、報知器具１４、人検出器１５、絶縁シート１６をさらに設けている。そして、実施形態２の認証装置４Ａは、認証処理に加えて、計測器具１３の計測処理、及び報知器具１４の報知処理の制御も行う。すなわち、認証装置４Ａは、計測器具１３の計測処理、及び報知器具１４の報知処理の管理を行う除電コントローラとしても機能する。
【００４４】
カードリーダ１２と認証装置４Ａとの間、認証装置４Ａとロック装置５との間、認証装置４Ａと計測器具１３、報知器具１４、人検出器１５との各間の各信号経路は、専用線などの有線、または無線ＰＡＮ、または無線ＬＡＮなどによって実現される。なお、実施形態１と同様の構成には同一の符号を付す。
【００４５】
計測器具１３は、天井パネル２２において、カードリーダ１２にＩＣカード１１をかざす人Ｈの上方に固定されている。ここで、空間Ｒ１において、ドア３の近傍（ドア３の前方）でドア３に対向する領域を対象領域２００とすると、計測器具１３は、対象領域２００の上方に固定されている。そして、計測器具１３は、対象領域２００内の対象（この場合の対象は人Ｈ）の帯電電位を計測する。計測器具１３は、帯電電位の計測信号を認証装置４Ａへ送信する。
【００４６】
さらに、計測器具１３にはアース線１３５が予め接続されている。アース線１３５は、天井パネル２２、壁パネル２３などに予め敷設されて接地されている。例えば、アース線１３５は、天井パネル２２、壁パネル２３などに沿って引き回されており、大地（地中）に埋め込んだ金属棒１３６に電気的に接続している。なお、アース線１３５は、大地の電位と同等であるとみなすことができる金属などの導体に電気的に接続していてもよい。また、アース線１３５は、天井パネル２２、壁パネル２３などの内部で引き回されていてもよい。さらに、アース線１３５は、床パネル２４に沿って、あるいは床パネル２４の内部で引き回されてもよい。つまり、計測器具１３及びアース線１３５が建物２の構造体に固定的に取り付けられて、計測器具１３にはアース線１３５が予め接続されていればよい。そして、計測器具１３は、アース線１３５の電位を基準電位として、帯電電位を計測する。
【００４７】
計測器具１３は、例えば表面電位センサによって構成される。計測器具１３は、一例として図４に示すように、検知電極１３１、音叉振動板１３２、及びインピーダンス変換器１３３、筐体１３４を備える。筐体１３４は、アルミニウム、または鉄などの金属で箱状に形成されており、検知電極１３１、音叉振動板１３２、及びインピーダンス変換器１３３などが筐体１３４に収納されている。音叉振動板１３２及び筐体１３４は、アース線１３５に電気的に接続しており、接地されている。
【００４８】
そして、帯電した人Ｈの周りには、帯電量に比例した強さの電界３００が発生しており、この電界３００によって検知電極１３１には誘導電荷が発生する。そして、検知電極１３１に対向して音叉振動板１３２が配置されており、音叉振動板１３２を開閉（振動）させることで、検知電極１３１に生じる誘導電荷が交流信号として取り出される。インピーダンス変換器１３３は、この交流信号をインピーダンス変換して計測信号として出力する。この計測信号は、アース線１３５の電位を基準電位とした電気信号である。
【００４９】
このような計測器具１３は、帯電した人Ｈの周りに発生する電界の強さを非接触で検出し、電界の強さを人Ｈの帯電電位に換算することで、帯電電位を非接触で計測している。この電界の強さは、計測器具１３（検知電極１３１）から人Ｈの頭部（頭頂）までの距離Ｄ１（図３参照）が長いほど小さくなる。すなわち、人Ｈの上方に設けられた計測器具１３による帯電電位の計測値は、計測器具１３から人Ｈの頭部までの距離Ｄ１に依存する。言い換えると、天井パネル２２に計測器具１３が設けられた場合、帯電量が同じ複数の人のそれぞれの帯電電位の計測値は、対象となる人の身長によって異なる。そこで、本実施形態では、対象となる人の身長を予め特定範囲内に限定することで、対象となる人の身長がその特定範囲内であれば帯電電位の計測値の誤差が許容値以下に収まるようにしている。例えば、距離Ｄ１が２０〜５０ｃｍ程度となるように、この特定範囲が決められる。あるいは、対象領域２００に入った人が椅子に座る場合、この椅子の高さを調節して、距離Ｄ１を調節してもよい。
【００５０】
人検出器１５は、対象領域２００の床パネル２４の上面に配置されている。人検出器１５は、シート形状に形成された例えばセーフティマットであり、内部にスイッチ素子を有している。そして、人検出器１５の上面に人Ｈが存在する場合、人Ｈの重量による押圧力によって内部のスイッチ素子がオンする。人検出器１５は、スイッチ素子のオンオフ状態によって、人検出器１５の上面に人Ｈが存在するか否かを検出でき、この検出結果を検出信号として認証装置４Ａへ出力する。すなわち、人検出器１５は、対象領域２００に人Ｈが存在するか否かを検出する。
【００５１】
また、人検出器１５は、床パネル２４との間に絶縁シート１６を挟んで配置されている。絶縁シート１６は、１．０×１０１１Ω程度の表面抵抗値を有しており、例えばウレタン樹脂、またはエポキシ樹脂で形成されている。絶縁シート１６は、人検出器１５上の人Ｈと床パネル２４との間を電気的に絶縁するために設けられる。人検出器１５上の人Ｈと床パネル２４との間が電気的に絶縁されることによって、計測器具１３の計測精度を高くすることができる。一方、人検出器１５上の人Ｈと床パネル２４との間が電気的に導通している場合、人Ｈと床パネル２４との間にも電界が発生するため、計測器具１３の計測誤差が大きくなりやすい。
【００５２】
また、報知器具１４は、天井パネル２２に固定されており、対象領域２００の人Ｈに対して、視覚、聴覚の少なくとも一方を用いて、除電の必要性について報知する。本実施形態では、報知器具１４は、ＬＥＤ素子または液晶画面を用いた表示装置と、スピーカを有する音声出力装置とを備える。
【００５３】
そして、人Ｈは、人検出器１５の上面に載ることで、対象領域２００に入る。そして、対象領域２００に存在する人Ｈは、手に持ったＩＣカード１１をカードリーダ１２の前面１２１ａにかざす。このとき、人Ｈは、ＩＣカード１１を導電部材１２４に触れさせることで、ＩＣカード１１のカバー１１３を導電部材１２４に接触させる。カバー１１３が導電部材１２４に接触すると、人に帯電している静電気が、カバー１１３→導電部材１２４→アース線１２５→金属棒１２６を通って放電される。
【００５４】
したがって、除電装置１Ａは、人Ｈが非接触型のＩＣカード１１をカードリーダ１２にかざす際に、ＩＣカード１１がカードリーダ１２に触れることで、人Ｈを除電できる。また、ＩＣカード１１のカード本体１１１と導電性を有するカバー１１３とは絶縁部材１１２によって電気的に絶縁されている。したがって、ＩＣカード１１は、カード本体１１１に設けられている集積回路１１１ａに対して、除電時に高電圧が印加されることを防止できるので、除電による集積回路１１１ａの不具合の発生を抑えることができる。
【００５５】
また、対象領域２００に存在する人Ｈに対して、除電装置１Ａは報知処理を行い、認証システム１０Ａは認証処理を行う。以下、図５のフローチャートを用いて、除電装置１Ａ及び認証システム１０Ａの動作を説明する。なお、図５のフローチャートの開始時において、ロック装置５は施錠状態である。
【００５６】
対象領域２００に存在する人Ｈが、手に持ったＩＣカード１１をカードリーダ１２の前面１２１ａにかざすと、カードリーダ１２がＩＣカード１１から識別情報を取得する（Ｓ１）。
【００５７】
カードリーダ１２は、識別情報を認証装置４Ａへ出力し、認証装置４Ａは、カードリーダ１２から受け取った識別情報を、認証用データの識別情報と照合することで、認証処理を行う（Ｓ２）。認証装置４Ａは、カードリーダ１２から受け取った識別情報が、認証用データの識別情報に一致すれば、認証成功と判定する。また、認証装置４Ａは、カードリーダ１２から受け取った識別情報が、認証用データのいずれの識別情報にも一致しなければ、認証失敗と判定する。
【００５８】
認証装置４Ａは、認証失敗であれば、閉信号をロック装置５へ出力する（Ｓ１３）。認証装置４Ａから閉信号を受信したロック装置５は、施錠状態を維持する（Ｓ１４）。その後、ステップＳ１に戻って上記同様の処理が繰り返される。
【００５９】
認証装置４Ａは、認証成功であれば、人検出器１５から受け取った検出信号に基づいて、対象領域２００に人Ｈが存在するか否かを判断する（Ｓ３）。認証装置４Ａは、対象領域２００に人Ｈが存在する場合、計測器具１３に対して計測処理の実行を指示する（Ｓ４）。計測器具１３は、計測処理の実行を指示されると、帯電電位の計測処理を行い、帯電電位の計測信号を認証装置４Ａへ出力する（Ｓ５）。また、認証装置４Ａは、対象領域２００に人Ｈが存在しない場合、計測器具１３に対して計測処理の停止を指示する（Ｓ１５）。さらに、認証装置４Ａは、対象領域２００に人Ｈが存在しない場合、閉信号をロック装置５へ出力する（Ｓ１３）。認証装置４Ａから閉信号を受信したロック装置５は、施錠状態を維持する（Ｓ１４）。その後、ステップＳ１に戻って上記同様の処理が繰り返される。すなわち、計測器具１３は、対象領域２００に人Ｈが存在する場合のみ、計測処理を行う。
【００６０】
認証装置４Ａは、計測器具１３から受け取った計測信号に基づいて、人Ｈの帯電電位を求める（Ｓ６）。認証装置４Ａが求める人Ｈの帯電電位には、帯電電位の極性、帯電電位の大きさ（絶対値）などが含まれる。例えば、認証装置４Ａは、音叉振動板１３２の振動（開閉）に同期した同期検波を行なって計測信号を直流電圧に変換し、この直流電圧を人Ｈの帯電電位として求める。
【００６１】
認証装置４Ａは、求めた帯電電位に基づいて、除電処理を行う必要があるか否かを判断する（Ｓ７）。認証装置４Ａは、帯電電位の大きさが閾値以上であれば、人Ｈがドア３のノブ３１に触れると電撃を受ける可能性が高く、除電処理を行う必要があると判断する。また、認証装置４Ａは、帯電電位の大きさが閾値未満であれば、人Ｈがドア３のノブ３１に触れても電撃を受ける可能性が低く、除電処理を行う必要がないと判断する。
【００６２】
認証装置４Ａは、除電処理を行う必要があると判断した場合（Ｓ７）、除電処理の必要がある旨を報知器具１４に報知させる（Ｓ１２）。この報知器具１４による報知処理には、除電処理の必要がある旨をメッセージで表示する形態、除電処理の必要がある旨をＬＥＤなどの点滅または点灯で伝える形態などがある。また、報知器具１４による報知処理には、除電処理の必要がある旨を音声メッセージで伝える形態、除電処理の必要がある旨をブザーなどの警告音で伝える形態などがある。
【００６３】
さらに、認証装置４Ａは、除電処理を行う必要があると判断した場合（Ｓ７）、閉信号をロック装置５へ出力する（Ｓ１３）。認証装置４Ａから閉信号を受信したロック装置５は、施錠状態を維持する（Ｓ１４）。その後、ステップＳ１に戻って上記同様の処理が繰り返される。
【００６４】
人Ｈは、報知器具１４によって除電処理の必要がある旨を報知された場合、ＩＣカード１１を導電部材１２４に再び触れさせることで、除電処理を再度行う。
【００６５】
認証装置４Ａは、除電処理を行う必要がないと判断した場合（Ｓ７）、除電処理の必要がない旨を報知器具１４に報知させる（Ｓ８）。そして、認証装置４Ａは、開信号をロック装置５へ出力する（Ｓ９）。
【００６６】
ロック装置５は、認証装置４Ａから開信号を受信すれば、施錠状態から解錠状態に切り替える（Ｓ１０）。この結果、人Ｈはドア３のノブ３１に触れてドア３を開けて、出入口２１を通過することができる。
【００６７】
そして、認証装置４Ａは、施錠切替条件が成立したか否かを判定する（Ｓ１１）。
【００６８】
具体的に、ドア３には、ドア３の開閉状態を監視するセンサが設けられており、認証装置４Ａは、ドア３の開閉状態を監視できる。認証装置４Ａは、人Ｈが出入口２１を通過した後、ドア３が閉められてから一定時間が経過したか否かを判定する（Ｓ１１）。そして、認証装置４Ａは、人Ｈが出入口２１を通過した後、ドア３が閉められてから一定時間が経過していれば、施錠切替条件が成立したと判定して、閉信号をロック装置５へ出力する（Ｓ１３）。認証装置４Ａから閉信号を受信したロック装置５は、解錠状態から施錠状態に切り替わる（Ｓ１４）。その後、ステップＳ１に戻って上記同様の処理が繰り返される。
【００６９】
また、認証装置４Ａは、ロック装置５が施錠状態から解錠状態に切り替わった後、一定時間が経過したか否かを判定する（Ｓ１１）。認証装置４Ａは、ロック装置５が施錠状態から解錠状態に切り替わった後、一定時間が経過してもドア３が開けられない場合も、施錠切替条件が成立したと判定して、閉信号をロック装置５へ出力する（Ｓ１３）。認証装置４Ａから閉信号を受信したロック装置５は、施錠状態を維持する（Ｓ１４）。その後、ステップＳ１に戻って上記同様の処理が繰り返される。
【００７０】
すなわち、人Ｈの認証が成功し、かつ人Ｈの帯電電位が閾値未満であれば、ロック装置５が解錠状態になって、人Ｈはドア３を開けて出入口２１を通過することができる。一方、人Ｈの認証が失敗した場合、または人Ｈの帯電電位が閾値以上である場合、ロック装置５が施錠状態を維持しており、人Ｈはドア３を開けることができないので、出入口２１を通過することができない。
【００７１】
上述の除電装置１Ａでは、計測器具１３が出入口２１の周囲の構造体である天井パネル２２に設置されている。さらに、計測器具１３の基準電位となるアース線１３５も出入口２１の周囲の構造体である天井パネル２２、壁パネル２３に予め敷設されて接地されている。また、計測器具１３は、人Ｈの帯電電位を非接触で計測する。
【００７２】
また、除電装置１Ａでは、電撃を受ける可能性が高い人Ｈに対して、報知器具１４が除電処理の必要がある旨を報知する。したがって、人Ｈは、除電処理の必要性をドア３に触れる前に認識することができ、ドア３に触れる前に、必要に応じて除電処理を実行することができる。さらに、除電装置１Ａでは、電撃を受ける可能性が低い人Ｈに対して、報知器具１４が除電処理の必要がない旨を報知するので、不要な除電処理が実行されることを減らすことができる。この結果、人Ｈは、電撃の不安を解消でき、かつ利便性が向上する。
【００７３】
また、除電装置１Ａは、電撃を受ける可能性が低くなるまで、除電処理の必要がある旨を報知する。したがって、除電装置１Ａは、帯電電位をより確実に下げることができ、電撃の発生をより抑制することができる。
【００７４】
また、ロック装置５は、人Ｈの認証が成功し、かつ人Ｈの帯電電位が閾値未満であれば、解錠状態になる。したがって、認証システム１０Ａは、認証されない人、及び帯電電位が高い人が空間Ｒ１から空間Ｒ２へ入ることを防止できる。この結果、認証システム１０Ａは、空間Ｒ２への不審者の侵入、帯電電位が高い人が空間Ｒ２へ入ることの両方を抑制できる。
【００７５】
したがって、空間Ｒ２が、半導体の製造現場、または電気機器の実験室などであっても、帯電電位が高い人が空間Ｒ２へ入ることは困難になるので、空間Ｒ２において、静電気による半導体破壊、機器の不具合などを抑えることができる。
【００７６】
なお、カードリーダ１２に、認証装置４Ａの機能を組み込んでもよい。
【００７７】
あるいは、計測器具１３、報知器具１４、認証装置４Ａを一体に構成してもよい。また、認証装置４Ａの機能を、カードリーダ１２、計測器具１３、報知器具１４に分散して搭載してもよい。
【００７８】
また、上述の実施形態１，２において、カードリーダ１２の筐体１２１の前面１２１ａには、シート状の導電部材１２４が貼られている。しかし、図６Ａに示すように、カードリーダ１２の筐体１２１の前面１２１ａに、複数（図６Ａでは１６個）の円柱形状の導電部材１２４Ａを並べて配置してもよい。導電部材１２４Ａの形状は、円柱形状に限定されず、例えば多角柱形状であってもよい。また、図６Ｂに示すように、カードリーダ１２の筐体１２１の前面１２１ａに、枠体形状（図６Ｂでは円環形状）の導電部材１２４Ｂを設けてもよい。導電部材１２４Ｂの形状は、円環形状に限定されず、例えば多角形の枠体形状であってもよい。さらに、導電部材１２４Ａ，１２４Ｂも、静電気拡散性材料で形成されていることが好ましい。
【００７９】
また、上述の実施形態１，２において、筐体１２１の前面１２１ａ自体を導電性の部材で形成してもよい。この場合、筐体１２１の前面１２１ａが導電部材となる。
【００８０】
すなわち、導電部材が読出部１２２の少なくとも一部を直接あるいは間接的に覆うように構成されればよい。さらには、カードリーダ１２における導電部材の形成箇所は、人ＨがＩＣカード１１を読出部１２２にかざす際に、ＩＣカード１１が触れやすい箇所であることが好ましい。
【００８１】
また、上述の実施形態１，２では、カードリーダ１２を空間Ｒ１に設けており、人Ｈが出入口２１を通って空間Ｒ１から空間Ｒ２へ移動する場合について説明している。しかし、カードリーダ１２を空間Ｒ２に設ければ、人Ｈが出入口２１を通って空間Ｒ２から空間Ｒ１へ移動する場合も、上記同様に除電処理を行うことができる。この場合、人Ｈはドア３のノブ３２に触れてドア３を開けて、出入口２１を通過することができる（図１、図３参照）。
【００８２】
また、カードリーダ１２を空間Ｒ１，Ｒ２の両方に設けて、人Ｈが空間Ｒ１から空間Ｒ２へ移動する場合、人Ｈが空間Ｒ２から空間Ｒ１へ移動する場合の両方で、上記同様に除電処理を行ってもよい。
【００８３】
また、上述の実施形態２では、計測器具１３及び報知器具１４を空間Ｒ１に設けており、人Ｈが出入口２１を通って空間Ｒ１から空間Ｒ２へ移動する場合について説明している。しかし、計測器具１３及び報知器具１４を空間Ｒ２に設ければ、人Ｈが出入口２１を通って空間Ｒ２から空間Ｒ１へ移動する場合も、上記同様に計測処理及び報知処理を行うことができる。
【００８４】
また、計測器具１３及び報知器具１４を空間Ｒ１，Ｒ２の両方に設けて、人Ｈが空間Ｒ１から空間Ｒ２へ移動する場合、人Ｈが空間Ｒ２から空間Ｒ１へ移動する場合の両方で、上記同様に計測処理及び報知処理を行ってもよい。
【００８５】
なお、上述の実施形態１，２において、カードリーダとの通信距離を２ｍｍ以下とした密着型（ISO/IEC10536準拠）のＩＣカード、またはカードリーダとの通信距離を７０ｃｍ以下とした近傍型（ISO/IEC15693準拠）のＩＣカードを用いてもよい。さらに、上述の実施形態１，２において、カードリーダとの通信距離を７０ｃｍ以遠とした遠隔型のＩＣカードを用いることも可能である。
【００８６】
また、認証装置４，４Ａは、マイクロコンピュータ等で構成されたコンピュータを搭載しており、このコンピュータがプログラムを実行することによって、認証装置４，４Ａの各機能が実現されている。なお、認証装置４，４Ａに搭載されるコンピュータは、プログラムに従って動作するプロセッサおよびインターフェースを主なハードウェア構成として備える。この種のプロセッサとしては、ＤＳＰ（Digital Signal Processor）、ＣＰＵ（Central Processing Unit）、ＭＰＵ（Micro-Processing Unit）等を含み、プログラムを実行することによって認証装置４，４Ａの各機能を実現することができれば、その種類は問わない。
【００８７】
また、プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００８８】
以上のように、実施形態に係る第１の態様の除電装置１，１Ａは、非接触式のＩＣカード１１と、カードリーダ１２とを備える。ＩＣカード１１は、識別情報を記憶している。カードリーダ１２は、ＩＣカード１１から識別情報を取得する。ＩＣカード１１は、集積回路１１１ａが設けられているカード本体１１１と、カード本体１１１の外面を覆っている絶縁部材１１２と、導電性を有して絶縁部材１１２の外面を覆っているカバー１１３とを具備する。絶縁部材１１２は、カード本体１１１とカバー１１３とを電気的に絶縁している。カードリーダ１２は、ＩＣカード１１から識別情報を読み出す読出部１２２と、導電性を有して読出部１２２の少なくとも一部を覆っている導電部材１２４，１２４Ａ，１２４Ｂとを具備する。
【００８９】
したがって、除電装置１，１Ａは、人Ｈが非接触型のＩＣカード１１をカードリーダ１２にかざす際に、ＩＣカード１１がカードリーダ１２に触れることで、人Ｈを除電できる。また、除電装置１，１Ａは、カード本体１１１に設けられている集積回路１１１ａに対して、除電時に高電圧が印加されることを防止できる。すなわち、除電装置１，１Ａは、非接触型のＩＣカード１１を用いて人Ｈを除電でき、かつ除電によるＩＣカード１１の不具合の発生を抑えることができる。
【００９０】
また、実施形態に係る第２の態様の除電装置１，１Ａでは、第１の態様において、カバー１１３は、静電気拡散性材料で形成されていることが好ましい。
【００９１】
したがって、除電装置１，１Ａは、カバー１１３が導電部材１２４，１２４Ａ，１２４Ｂに接触したときに、カバー１１３と導電部材１２４，１２４Ａ，１２４Ｂとの間に流れる電流のピーク値を抑制することができる。この結果、除電装置１，１Ａは、除電時に人Ｈが受ける衝撃を抑えることができる。
【００９２】
また、実施形態に係る第３の態様の除電装置１，１Ａでは、第１または第２の態様において、導電部材１２４，１２４Ａ，１２４Ｂは、静電気拡散性材料で形成されていることが好ましい。
【００９３】
したがって、除電装置１，１Ａは、カバー１１３が導電部材１２４，１２４Ａ，１２４Ｂに接触したときに、カバー１１３と導電部材１２４，１２４Ａ，１２４Ｂとの間に流れる電流のピーク値を抑制することができる。この結果、除電装置１，１Ａは、除電時に人Ｈが受ける衝撃を抑えることができる。
【００９４】
また、実施形態に係る第４の態様の除電装置１Ａは、第１乃至第３の態様のいずれか１つにおいて、計測器具１３と、報知器具１４とをさらに備えることが好ましい。計測器具１３は、カードリーダ１２にＩＣカード１１をかざす人Ｈの帯電電位を計測する。報知器具１４は、帯電電位に基づいて除電の必要性について報知する。
【００９５】
したがって、除電装置１Ａが除電の必要性について報知するので、人Ｈは、除電処理の必要性を認識することができ、必要に応じて除電処理を実行することができる。また、除電装置１Ａが除電の必要性について報知するので、電撃を受ける可能性が低い人Ｈに対して不要な除電処理が実行されることを減らすことができる。この結果、人Ｈは、電撃の不安を解消でき、かつ利便性が向上する。
【００９６】
また、実施形態に係る第５の態様の除電装置１，１Ａでは、第１乃至第４の態様のいずれか１つにおいて、カードリーダ１２は、出入口２１を開閉するドア３の周囲に配置されることが好ましい。
【００９７】
したがって、除電装置１，１Ａは、出入口２１を通る人Ｈに対して、非接触型のＩＣカード１１を用いて除電でき、かつ除電によるＩＣカード１１の不具合の発生を抑えることができる。
【００９８】
また、実施形態に係る第６の態様の認証システム１０Ａは、第１乃至第３の態様のいずれか１つの除電装置１Ａと、認証装置４Ａと、ロック装置５とを備える。認証装置４Ａは、カードリーダ１２が取得した識別情報を用いて認証処理を行う。ロック装置５は、出入口２１を開閉するドア３に設けられて施錠状態、解錠状態を切り替える。カードリーダ１２は、ドア３の周囲に配置されている。除電装置１Ａは、カードリーダ１２にＩＣカード１１をかざす人Ｈの帯電電位を計測する計測器具１３と、帯電電位に基づいて除電の必要性について報知する報知器具１４とをさらに備える。そして、認証処理において認証が成功し、かつ帯電電位が閾値未満であれば、ロック装置５は解錠状態になる。また、認証処理において認証が失敗した場合、または帯電電位が閾値以上である場合、ロック装置５は施錠状態になる。
【００９９】
したがって、認証システム１０Ａは、人Ｈが非接触型のＩＣカード１１をカードリーダ１２にかざす際に、ＩＣカード１１がカードリーダ１２に触れることで、人Ｈを除電できる。また、認証システム１０Ａは、カード本体１１１に設けられている集積回路１１１ａに対して、除電時に高電圧が印加されることを防止できる。すなわち、認証システム１０Ａは、非接触型のＩＣカード１１を用いて人Ｈを除電でき、かつ除電によるＩＣカード１１の不具合の発生を抑えることができる。
【０１００】
また、認証システム１０Ａは、出入口２１を用いた不審者の侵入、帯電電位が高い人が出入口２１を通ることの両方を抑制できる。
【０１０１】
また、実施形態に係る第７の態様のＩＣカード１１は、識別情報を記憶している非接触式のＩＣカードである。ＩＣカード１１は、集積回路１１１ａが設けられているカード本体１１１と、カード本体１１１の外面を覆っている絶縁部材１１２と、導電性を有して絶縁部材１１２の外面を覆っているカバー１１３とを一体に備えている。絶縁部材１１２は、カード本体１１１とカバー１１３とを電気的に絶縁している。
【０１０２】
したがって、ＩＣカード１１は、カードリーダ１２に触れることで、人Ｈの除電経路を形成できる。また、ＩＣカード１１は、カード本体１１１に設けられている集積回路１１１ａに対して、除電時に高電圧が印加されることを防止できる。すなわち、ＩＣカード１１は、非接触型のＩＣカードを用いた人Ｈの除電を可能にし、かつ除電によるＩＣカードの不具合の発生を抑えることができる。
【０１０３】
また、実施形態に係る第８の態様のカードリーダ１２は、ＩＣカード１１から識別情報を取得するカードリーダである。カードリーダ１２は、ＩＣカード１１から識別情報を読み出す読出部１２２と、導電性を有して読出部１２２の少なくとも一部を覆っている導電部材１２４，１２４Ａ，１２４Ｂとを備える。
【０１０４】
したがって、カードリーダ１２は、ＩＣカード１１が触れることで、人Ｈの除電経路を形成できる。すなわち、カードリーダ１２は、非接触型のＩＣカード１１を用いた人Ｈの除電を可能にする。
【０１０５】
なお、上述の各実施形態は本発明の一例である。このため、本発明は、上述の各実施形態に限定されることはなく、これらの実施形態以外であっても、本発明に係る技術的思想を逸脱しない範囲であれば、設計等に応じて種々の変更が可能であることは勿論である。
【符号の説明】
【０１０６】
１，１Ａ  除電装置
１０，１０Ａ  認証システム
１１  ＩＣカード
１２  カードリーダ
１１１ａ  集積回路
１１１  カード本体
１１２  絶縁部材
１１３  カバー
１２２  読出部
１２４，１２４Ａ，１２４Ｂ  導電部材
１３  計測器具
１４  報知器具
２  建物
２１  出入口
２２  天井パネル（構造体）
２３  壁パネル（構造体）
２４  床パネル（構造体）
３  ドア
４，４Ａ  認証装置
５  ロック装置
Ｒ１，Ｒ２  空間
Ｈ  人
【図１】
2018088189.tif 000003
【図２】
2018088189.tif 000004
【図３】
2018088189.tif 000005
【図４】
2018088189.tif 000006
【図５】
2018088189.tif 000007
【図６】
2018088189.tif 000008